(57)【要約】【課題】ボードを容易且つ安全に支承上に固定することができ、組み立てが容易なだけでなく、メンテナンスも容易で便利且つ実用性を向上させることができる家庭用倒立機を提供する。【解決手段】本考案の家庭用倒立機は、支承、ボード、挟脚フレーム、からなり、支承両側に、取っ手とホールを有し、ボードと取っ手間のリングは、ボードを、容易、且つ、安全に、支承上に固定し、ボード下端と挟脚フレームは連接し、差込と差込孔により高さを調整することができ、挟脚フレームの挟持部は、気圧シリンダを設置し、弾力調整棒を引っ張った後、気圧シリンダを引っ張ると、気圧シリンダは自動的に弾き出され、挟持部を分開することが出来、使用者の脚を容易に挟持部から離すことが出来る。【選択図】図１
0003110667.tif 000002
【実用新案登録請求の範囲】
【請求項１】
家庭用倒立機であって、
フレーム体で、その他の構造を支承するのに用いられ、二つの取っ手とリングを設置し、ホールと結合する支承と、
背もたれとなる板体が主体で、前記板体下方に、挟脚フレームを穿入するスロットを有し、前記スロット側辺に、差込孔を有し、左右側辺は、前記取っ手と前記リングを有するボードと、
前記ボードの下端に位置し、フレーム体は、前記ボード下端のスロットに挿入されて連接し、差込と複数の差込孔により、高さを調整する挟脚フレームと、
からなり、
前記フレーム体は、脚部挟持部を連接し、前記脚部挟持部前端に、ペダルを有し、前記脚部挟持部下方に、置放座を設けて、脚部が快適に支えられ、前記置放座上方に、半月形の足置きを有し、前記脚部挟持部の足置きと前記置放座の間に、接合ネックを有し、前記接合ネック上に、複数の調整ホールを有し、弾力調整棒を挿入した後、前記足置きと置放座を鎖合し、動力を回復する気圧シリンダを、前記接合ネック内部に設置することを特徴とする家庭用倒立機。
【請求項２】
前記足置きは、半月形で、軟性パッドを外覆することを特徴とする請求項１に記載の家庭用倒立機。
【請求項３】
前記支承は、折り畳み可能で、開いた後、四脚を支承とすることを特徴とする請求項１に記載の家庭用倒立機。
【考案の詳細な説明】
【技術分野】
【０００１】
本考案は、家庭用倒立機に関するものであって、特に、便利で、実用的、且つ、安全な健康器材で、家庭でのエクササイズに運用し、ボードと二つの取っ手間のリングと、支承両側のホールの構造設計により、ボードが、容易、且つ、安全に支承に固定され、弾力調整棒を引っ張ると、自動的に、気圧シリンダが弾き出され、脚部挟持部を分開し、使用者の脚を容易に離すことが出来る家庭用倒立機に関するものである。
【背景技術】
【０００２】
科学技術の発展に伴い、人々の健康への関心が高まり、健康機器に対する要求も増加している。
【０００３】
公知の倒立機は、複雑な構造で、組み立てが容易でなく、メンテナンスも困難であり、家庭での使用には不向きで、且つ、倒立使用する時、全身上下の重量は、両足裏にかかり、足裏が破皮したり、足の甲の神経系統を圧迫したり、使用者の健康を損ねかねる。
【０００４】
よって、公知の倒立機の複雑な構造、組み立て、メンテナンスの不便、運用のフレキシブル性を改善し、使用者の健康を損ねないような倒立機が必要である。  
【考案の開示】
【考案が解決しようとする課題】
【０００５】
上述の問題を改善するため、本考案は、家庭用倒立機を提供し、運用が簡単で、効果的に、公知の倒立機の複雑な構造を改善し、家庭で使用し易くすることを目的とする。
【課題を解決するための手段】
【０００６】
上述の目的を達成するため、本考案の家庭用倒立機は、ボードが、容易、且つ、安全に支承に固定され、弾力調整棒を引っ張ると、自動的に、気圧シリンダが弾き出され、脚部挟持部を分開し、使用者の脚を容易に離すことが出来る。
【０００７】
本考案の家庭用倒立機は、支承とボードと挟脚フレームと、からなり、支承は、折り畳みが可能で、支承両側に、二つの取っ手２２を設置し、ホールと結合する。ボードは、左右両側に、取っ手とリングを有する。挟脚フレームは、フレーム体とボード下端が連接し、差込と差込孔により、高さを調整することができる。置放座上方に、半月形の足置きを有し、足置きは、軟性パッドを外覆しており、使用者の足の甲への圧迫を減少させるので、安全に、エクササイズができる。
【０００８】
足置きと置放座の間に接合ネックを有し、接合ネック上に、複数の調整ホールを有し、弾力調整棒を挿入した後、足置きと置放座を鎖合し、動力を回復する気圧シリンダを、接合ネック内部に設置する。使用終了後、弾力調整棒を引っ張ると、気圧シリンダは、自動的に、接合ネック内部から弾き出され、脚部挟持部を分開し、使用者の脚は、容易に、脚部挟持部から離すことが出来る。
【考案の効果】
【０００９】
本考案は、リングとホール相互間の結合により、ボードを、容易、且つ、安全に支承上に固定することができ、組み立てが容易なだけでなく、メンテナンスも容易で、便利、且つ、実用性を向上させている。
【考案を実施するための最良の形態】
【００１０】
図１、及び、図２を参照すると、本考案の家庭用倒立機は、支承１と、ボード２と、挟脚フレーム３と、からなる。
【００１１】
支承１は、フレーム体で、その他の構造を支承するのに用いられ、支承１は、折り畳みが可能で、開いた状態の支承１は、四脚を支承用とし、支承１両側に、二つの取っ手２２とリング２３を設置し、ホール１０と結合する。
【００１２】
ボード２は、背もたれとなる板体２０が主体で、板体２０下方に、スロット２１を有し、挟脚フレーム３を穿入する。スロット２１側辺に、差込孔２１０を有し、挟脚フレーム体３０の差込３００と複数の差込孔３０１により、高さを調整する。ボード２左右側辺は、取っ手２２とリング２３を有し、リング２３がホール１０に係合することにより、ボード２が、容易、且つ、安全に、支承１上に固定される。
【００１３】
挟脚フレーム３は、ボード２の下端に位置し、挟脚フレーム体３０は、ボード２下端のスロット２１に挿入されて連接し、差込３００と複数の差込孔３０１により、高さを調整する。
【００１４】
続いて、図３〜図５を参照すると、挟脚フレーム３は、脚部挟持部３１前端に、ペダル３１０を有し、脚部挟持部３１下方に、置放座３１１を設けて、脚部が快適に支えられ、置放座３１１上方に、半月形の足置き３１２を有し、足置き３１２は、軟性パッドを外覆しており、脚部挟持部３１内部は、気圧シリンダ３１３を設置すると共に、弾力調整棒３１４で、挟持部３１を鎖固結合する。
【００１５】
脚部挟持部３１の足置き３１２と置放座３１１の間に、接合ネック３１５を有し、接合ネック３１５上に、複数の調整ホール３１５０を有し、弾力調整棒３１４を挿入した後、足置き３１２と置放座３１１を鎖合し、動力を回復する気圧シリンダ３１３を、接合ネック３１５内部に設置する。
【００１６】
本考案の家庭用倒立機を使用する時、まず、リング２３をホール１０と結合させ、ボード２を支承１上にしっかりと固定し、更に、挟脚フレーム３を、ボード２下端からスロット２１に挿入し、高さを調整した後、差込３００を適当な差込孔３０１に挿入する。
【００１７】
組合せ完成後、脚を置放座３１１上に放置し、背部をボード２の板体２０上に貼接し、取っ手２２を中心にして、倒立を実行する。ペダル３１０と置放座３１１、足置き３１２の半月形、更に、調整ホール３１５０の弾力調整棒３１４への挿入により、脚部挟持部３１は、使用者の足の甲への圧迫を減少させるので、安全に、エクササイズができる。
【００１８】
使用後、弾力調整棒３１４を引っ張ると、気圧シリンダ３１３は、自動的に、接合ネック３１５内部から弾き出され、脚部挟持部３１を分開し、使用者の脚は、容易に、脚部挟持部３１から離すことが出来る。
【００１９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２０】
【図１】本考案の外観立体図である。
【図２】本考案の外観立体分解図である。
【図３】本考案の一部の構造を示した外観立体図である。
【図４】本考案の一部の構造を示した立体分解図である。
【図５】本考案の一部の構造を示した後視図である。
【符号の説明】
【００２１】
１…支承
１０…ホール
２…ボード
２０…板体
２１…スロット
２１０…差込孔
２２…取っ手
２３…リング
３…挟脚フレーム
３０…挟脚フレーム体
３００…差込
３０１…差込孔
３１…脚部挟持部
３１０…ペダル
３１１…置放座
３１２…足置き
３１３…気圧シリンダ
３１４…弾力調整棒
３１５…接合ネック
３１５０…調整ホール
【図１】
0003110667.tif 000003
【図２】
0003110667.tif 000004
【図３】
0003110667.tif 000005
【図４】
0003110667.tif 000006
【図５】
0003110667.tif 000007